(57)【特許請求の範囲】
【請求項１】
無線移動局装置との通信を行い、複数の無線移動局装置からのスペクトラム拡散信号が合成されている多重波信号を入力信号とし、目的信号の復調に対して希望波以外の干渉雑音成分抑圧処理を行う信号処理手段を有する無線基地局装置とを備える移動通信システムにおいて、前記信号処理手段は、前記入力信号について個々のスペクトラム拡散信号毎の復調信号に含まれている希望信号以外の干渉雑音成分の抑圧を行う複数の干渉キャンセルステージが多段に構成され、該複数の干渉キャンセルステージの中間段の干渉キャンセルステージの一部が、受信同期処理部及びパス検出部と、復調手段とを備える干渉キャンセラ部と、該干渉キャンセラ部の初段の干渉キャンセルステージの前段に設けられた受信同期処理部及びパス検出部と、前記干渉キャンセラ部の最終段の干渉キャンセルステージの出力段に設けられた信号の復調処理を行う復調手段とを備え、前記複数の干渉キャンセルステージのそれぞれは、前記受信同期処理部及びパス検出部からの同期処理結果及びパス検出結果を、干渉雑音成分の抑圧を行う信号処理のために使用して信号処理を行うことを特徴とする移動通信システム。
【請求項２】
前記干渉キャンセラ部は、最終段の干渉キャンセルステージの出力段に設けられた復調手段からの信号と前記中間段の干渉キャンセルステージの出力段に設けられた復調手段からの信号との一方を選択する選択手段を備えることを特徴とする請求項１記載の移動通信システム。
【請求項３】
前記干渉キャンセラ部に含まれる複数の干渉キャンセルステージのそれぞれは、逆拡散処理後の信号を個々の相関検出時に使用した拡散符号を用いて再拡散処理を行う手段と、再拡散処理を行った信号を加算・合成してレプリカ信号の生成を行う手段と、該レプリカ信号を入力信号から減算する減算処理手段と、減算処理後の信号について相関検出による逆拡散を行う逆拡散手段と、減算処理後の逆拡散信号と再拡散処理前の逆拡散信号との加算を行う加算処理手段とを備えることを特徴とする請求項１または２記載の移動通信システム。
【請求項４】
前記再拡散処理を行った再拡散信号を加算・合成したレプリカ信号を受信信号から減算する処理を行う前段に、通信を行っているユーザの多重数に応じて可変される“１”以下の重み係数を乗じる手段を備えることを特徴とする請求項３記載の移動通信システム。
【請求項５】
前記再拡散処理を行った再拡散信号を加算・合成したレプリカ信号を受信信号から減算する処理を行う前段に、信号をフルナイキスト特性のフィルタを通過させ波形整形を行う手段を備えることを特徴とする請求項３または４記載の移動通信システム。
【請求項６】
前記干渉キャンセラ部に含まれる複数の干渉キャンセルステージのそれぞれは、前記受信同期処理部で得られた同期処理結果を後段の干渉キャンセルステージにおいて使用可能に伝送する信号伝送手段を備えることを特徴とする請求項１ないし５のうちいずれか１記載の移動通信システム。
【請求項７】
前記干渉キャンセラ部に含まれる複数の干渉キャンセルステージのそれぞれは、前記パス検出部で得られたパス検出結果のパス情報を収集する手段と、収集したパス情報について条件判定処理を行う手段とを備え、条件判定処理を行った結果により干渉雑音成分の抑圧のための信号処理を行うか否かを各パス毎に選択することを特徴とする請求項１ないし６うち１記載の移動通信システム。
【請求項８】
前記干渉キャンセラ部に含まれる複数の干渉キャンセルステージのそれぞれは、前記干渉雑音成分の抑圧のための信号処理を行わないパスの信号を何の処理も行わずに後段にスルーに出力する手段を備えることを特徴とする請求項７記載の移動通信システム。
【請求項９】
無線移動局装置との通信を行い、複数の無線移動局装置からのスペクトラム拡散信号が合成されている多重波信号を入力信号とし、目的信号の復調に対して希望波以外の干渉雑音成分抑圧処理を行う信号処理手段を有する無線基地局装置とを備える移動通信システムにおける無線基地局装置において、前記信号処理手段は、前記入力信号について個々のスペクトラム拡散信号毎の復調信号に含まれている希望信号以外の干渉雑音成分の抑圧を行う複数の干渉キャンセルステージが多段に構成され、該複数の干渉キャンセルステージの中間段の干渉キャンセルステージの一部が、受信同期処理部及びパス検出部と、復調手段とを備える干渉キャンセラ部と、該干渉キャンセラ部の初段の干渉キャンセルステージの前段に設けられた受信同期処理部及びパス検出部と、前記干渉キャンセラ部の最終段の干渉キャンセルステージの出力段に設けられた信号の復調処理を行う復調手段とを備え、前記複数の干渉キャンセルステージのそれぞれは、前記受信同期処理部及びパス検出部からの同期処理結果及びパス検出結果を、干渉雑音成分の抑圧を行う信号処理のために使用して信号処理を行うことを特徴とする無線基地局装置。
【請求項１０】
前記干渉キャンセラ部は、最終段の干渉キャンセルステージの出力段に設けられた復調手段からの信号と前記中間段の干渉キャンセルステージの出力段に設けられた復調手段からの信号との一方を選択する選択手段を備えることを特徴とする請求項９記載の無線基地局装置。
【請求項１１】
前記干渉キャンセラ部に含まれる複数の干渉キャンセルステージのそれぞれは、逆拡散処理後の信号を個々の相関検出時に使用した拡散符号を用いて再拡散処理を行う手段と、再拡散処理を行った信号を加算・合成してレプリカ信号の生成を行う手段と、該レプリカ信号を入力信号から減算する減算処理手段と、減算処理後の信号について相関検出による逆拡散を行う逆拡散手段と、減算処理後の逆拡散信号と再拡散処理前の逆拡散信号との加算を行う加算処理手段とを備えることを特徴とする請求項９または１０記載の無線基地局装置。
【請求項１２】
前記再拡散処理を行った再拡散信号を加算・合成したレプリカ信号を受信信号から減算する処理を行う前段に、通信を行っているユーザの多重数に応じて可変される“１”以下の重み係数を乗じる手段を備えることを特徴とする請求項１１記載の無線基地局装置。
【請求項１３】
前記再拡散処理を行った再拡散信号を加算・合成したレプリカ信号を受信信号から減算する処理を行う前段に、信号をフルナイキスト特性のフィルタを通過させ波形整形を行う手段を備えることを特徴とする請求項１１または１２記載の無線基地局装置。
【請求項１４】
前記干渉キャンセラ部に含まれる複数の干渉キャンセルステージのそれぞれは、前記受信同期処理部で得られた同期処理結果を後段の干渉キャンセルステージにおいて使用可能に伝送する信号伝送手段を備えることを特徴とする請求項９ないし１３のうちいずれか１記載の無線基地局装置。
【請求項１５】
前記干渉キャンセラ部に含まれる複数の干渉キャンセルステージのそれぞれは、前記パス検出部で得られたパス検出結果のパス情報を収集する手段と、収集したパス情報について条件判定処理を行う手段とを備え、条件判定処理を行った結果により干渉雑音成分の抑圧のための信号処理を行うか否かを各パス毎に選択することを特徴とする請求項１ないし１４のうち１記載の無線基地局装置。
【請求項１６】
前記干渉キャンセラ部に含まれる複数の干渉キャンセルステージのそれぞれは、前記干渉雑音成分の抑圧のための信号処理を行わないパスの信号を何の処理も行わずに後段にスルーに出力する手段を備えることを特徴とする請求項１５記載の無線基地局装置。
【発明の詳細な説明】
【０００１】
【発明の属する技術分野】
本発明は、符号分割多元接続方式を用いて複数の無線移動局装置と通信を行う移動通信システム及び無線基地局装置に係り、特に、目的の復調信号に含まれる他の無線移動局装置の信号による干渉雑音成分の抑圧処理を行って復調処理を施した信号を有線伝送路側へ伝送することによりチャネル使用効率を向上させた移動通信システム及び無線基地局装置に関する。
【０００２】
【従来の技術】
符号分割多元接続方式を用いた無線通信システムは、他のシステムからの相互干渉に強い、マルチパスに強い、ハンドオフが容易、秘匿性に優れている等の移動通信に適した特徴を持っている。しかし、符号分割多元接続方式の通信システムは、他の多元接続方式と異なり、同一の基地局セル内に存在している複数の端末ユーザーが同時に同一の周波数と同一の周波数帯域とを用いて通信を行っているため、チャネル使用の効率性に対する問題点も持ち合わせている。この問題点は、遠近問題存在下における基地局に近いユーザーの強い通信信号が他の弱い通信信号を覆うことにより生じる干渉や、自局からの不必要な送信電力により生じる他局への干渉等がチャネルの使用効率の低下を招いてしまうために生じる。
【０００３】
チャネルの使用効率の低下を防止する対策として、信号の広帯域化による広帯域利得の利用、相互相関の小さい符号系列の使用、遠近問題の解決を行う電力制御の採用等が行われている。特に、電力制御は、自局からの不必要な送信電力を抑え、自局の送信電力を必要最小に抑えることにより他局への干渉を最小限の抑えるばかりでなく、遠近問題を解決するためにも有効である。
【０００４】
しかし、これらの対策を用いても同時通信を行っているユーザー数の増加による相互相関干渉の増加（信号対雑音比の劣化）に伴う通信品質の低下を防ぐことは困難である。
【０００５】
前述した問題点を解決するための手段として、他のチャネルからの干渉の除去を行う干渉キャンセル技術が有効であり、様々な方式の干渉キャンセル技術が検討されている。他のユーザーからの干渉は受信機において予測可能であり、干渉を除去するための処理を行うことが可能である。これらの干渉キャンセル方式のうち、復調の対象となる複数のユーザー信号情報を利用するマルチユーザー受信方式の干渉キャンセル方式が提案されている。この方式を用いた干渉キャンセル装置は、復調の対象となる複数のユーザー信号を復調処理し、復調処理を施した信号から再拡散処理と合成処理とを施してレプリカ信号を作成し、多重波受信信号との減算処理を行い復調処理を行うことによって干渉成分の抑圧を行うものである。そして、干渉キャンセル処理をカスケード接続された多段型の構成として行うことにより干渉成分の抑圧効果を高めている。
【０００６】
なお、この種の干渉キャンセルに関する情報として、例えば、特開平１０−５１３５３号公報、特開平１０−１９０４９４号公報等に記載された技術が知られている。
【０００７】
【発明が解決しようとする課題】
前述したような符号分割多元接続を用いた移動通信システムは、同時に通信を行っているユーザー数の増加による相互相関干渉の増加が避けられず、干渉キャンセル技術が必須の技術となっている。これら干渉キャンセル方式のうち、マルチユーザー受信方式の干渉キャンセラ方式は、復調の対象となる複数のユーザー信号情報を利用するため、複数の相関器や再拡散器などを含めた相互相関干渉成分の抑圧処理を行う信号処理部を必要としている。この相互相関干渉成分の抑圧処理を行う信号処理部は、相互相関干渉成分の抑圧効果を高めるため多段構成となっているため装置規模が大きくなってしまう。また、マルチユーザー受信方式の干渉キャンセラ方式は、復調の対象となるユーザー信号を利用し信号処理を行っているため、信号処理部により処理が行われている各受信信号を適切に管理・制御する必要がある。そのため、このような干渉キャンセル方式を使用する通信システムは、基地局装置の装置規模と信号処理規模とが大きくなってしまい、コストが増大するという問題点を有するものとなっている。
【０００８】
本発明の目的は、前述した従来技術の問題点を解決し、装置規模と信号処理規模とが大きくなることがなく、しかも、チャネル使用効率の向上を図ることのできる移動通信システム及び無線基地局装置を提供することにある。
【０００９】
前述した目的を達成し、復調信号に含まれる干渉雑音成分の抑圧を行う干渉抑圧処理部を有する無線基地局装置の開発を行うためには、装置規模、信号処理規模、信号処理方法も含め、以下にあげるような問題点の解決が必要である。すなわち、
（１）装置規模と信号処理規模とを大きくしないための複数のユーザー信号と複数のステージ段とにより行われる信号処理部の構成方法、
（２）複数のステージ段の多段構成となっている信号処理部において使用される拡散符号の生成方法、
（３）復調の対象となるユーザー信号を利用し信号処理を行っているため、増減する通信ユーザーの信号に対する信号処理方法、
（４）マルチパスやフェージングなど通信環境により変動する受信パスの受信電力強度や受信パス数などのパス情報管理方法と受信パスの信号処理方法、
（５）複数のステージ段の多段構成となっている信号処理部を通信ユーザー数や干渉雑音量に合わせステージ段数を可変させるための装置構成方法
などの問題点を解決する必要がある。
【００１０】
そして、本発明の目的は、符号分割多元接続を用いた移動通信システムの複数の無線移動局装置と同時通信を行っている無線基地局装置とにおいて、通信ユーザー数の増加により生じる相互相関干渉によるチャネル効率の低下を防止するための干渉キャンセル部の開発において、前述した問題点についての解決方法を提案し、干渉キャンセラ部の装置規模と信号処理規模との増加を軽減し、無線基地局装置の装置規模とコストの削減を行いながらチャネル効率の低下を防止して高品質の通信を行うことを可能とした移動通信システム及び無線基地局装置を提供することにある。
【００１１】
【課題を解決するための手段】
本発明によれば前記目的は、無線移動局装置との通信を行い、複数の無線移動局装置からのスペクトラム拡散信号が合成されている多重波信号を入力信号とし、目的信号の復調に対して希望波以外の干渉雑音成分抑圧処理を行う信号処理手段を有する無線基地局装置とを備える移動通信システムにおいて、前記信号処理手段は、前記入力信号について個々のスペクトラム拡散信号毎の復調信号に含まれている希望信号以外の干渉雑音成分の抑圧を行う複数の干渉キャンセルステージが多段に構成され、該複数の干渉キャンセルステージの中間段の干渉キャンセルステージの一部が、受信同期処理部及びパス検出部と、復調手段とを備える干渉キャンセラ部と、該干渉キャンセラ部の初段の干渉キャンセルステージの前段に設けられた受信同期処理部及びパス検出部と、前記干渉キャンセラ部の最終段の干渉キャンセルステージの出力段に設けられた信号の復調処理を行う復調手段とを備え、前記複数の干渉キャンセルステージのそれぞれは、前記受信同期処理部及びパス検出部からの同期処理結果及びパス検出結果を、干渉雑音成分の抑圧を行う信号処理のために使用して信号処理を行うことにより達成される。
【００１２】
また、前記目的は、前記干渉キャンセラ部が、最終段の干渉キャンセルステージの出力段に設けられた復調手段からの信号と前記中間段の干渉キャンセルステージの出力段に設けられた復調手段からの信号との一方を選択する選択手段を備えることにより達成される。
【００１３】
また、前記目的は、前記干渉キャンセラ部に含まれる複数の干渉キャンセルステージのそれぞれが、逆拡散処理後の信号を個々の相関検出時に使用した拡散符号を用いて再拡散処理を行う手段と、再拡散処理を行った信号を加算・合成してレプリカ信号の生成を行う手段と、該レプリカ信号を入力信号から減算する減算処理手段と、減算処理後の信号について相関検出による逆拡散を行う逆拡散手段と、減算処理後の逆拡散信号と再拡散処理前の逆拡散信号との加算を行う加算処理手段とを備えることにより達成される。
【００１４】
また、前記目的は、前記再拡散処理を行った再拡散信号を加算・合成したレプリカ信号を受信信号から減算する処理を行う前段に、通信を行っているユーザの多重数に応じて可変される“１”以下の重み係数を乗じる手段を備えることにより、また、信号をフルナイキスト特性のフィルタを通過させ波形整形を行う手段を備えることにより達成される。
【００１５】
また、前記目的は、前記干渉キャンセラ部に含まれる複数の干渉キャンセルステージのそれぞれが、前記受信同期処理部で得られた同期処理結果を後段の干渉キャンセルステージにおいて使用可能に伝送する信号伝送手段を備えることにより達成される。
【００１６】
さらに、前記目的は、前記干渉キャンセラ部に含まれる複数の干渉キャンセルステージのそれぞれはが前記パス検出部で得られたパス検出結果のパス情報を収集する手段と、収集したパス情報について条件判定処理を行う手段とを備え、条件判定処理を行った結果により干渉雑音成分の抑圧のための信号処理を行うか否かを各パス毎に選択することにより、また、前記干渉雑音成分の抑圧のための信号処理を行わないパスの信号を何の処理も行わずに後段にスルーに出力する手段を備えることにより達成される。
【００１７】
本発明の無線基地局装置の受信部における干渉キャンセラ部は、受信信号の受信同期処理を行う同期処理部と干渉キャンセル処理を行う干渉キャンセル処理部と干渉キャンセル後の信号について同期検波、ＲＡＫＥ合成などの復調処理を行う復調処理部とにより構成され、受信した複数の無線移動局装置からのスペクトラム拡散信号が合成されている多重波信号について、ベースバンド受信部の入力初段にて個々のスペクトラム拡散信号毎に受信同期処理が行われる。受信部入力初段の受信同期処理部により受信同期処理が行われた信号は、受信同期処理結果をもとに個々のスペクトラム拡散信号毎に逆拡散処理が施され、逆拡散処理が行われた後の信号に対して干渉キャンセル処理が行われる。
【００１８】
干渉キャンセル処理部は、逆拡散信号の再拡散処理を行う再拡散器と、再拡散信号の合成処理を行う合成処理部と、合成信号と受信信号の減算処理を行う減算器と、減算信号の逆拡散処理を行う相関器とにより構成される。この干渉キャンセル処理部は、前述した課題１を解決し、装置規模と信号処理規模とを大きくしないための装置構成として、干渉キャンセル処理を行うために必要な機能である再拡散処理や逆拡散処理などの信号処理部のみを持つ構成とし、同期処理部や信号処理に必要とされる拡散符号生成部を持たない構成となっている。このため、本発明は、一連の干渉キャンセル処理を行う信号処理部を干渉キャンセルステージとすると、１つの干渉キャンセルステージので回路規模が小さくすることができ、ステージの多段構成も容易となる。
【００１９】
また、前述した課題２を解決するため、各干渉キャンセルステージは、拡散符号生成部を持たない構成とし、そのため、拡散符号の生成を受信部入力初段の受信同期処理部により行われる同期処理結果を用いる構成とし、受信同期結果により得られる拡散符号を干渉キャンセル処理を行う各干渉キャンセル処理部に伝送して使用できるような構成とした。
【００２０】
さらに、干渉キャンセルステージにより行われる再拡散信号の合成処理を行う合成処理部は、干渉成分の抑圧処理を行うための手段として、通信を行っているユーザー数に応じて動的に可変される“１”以下の係数の係数乗算とナイキストフィルタ処理を行う構成を備えて構成される。この係数乗算とナイキストフィルタ処理とは、前述の課題１に挙げた装置規模と信号処理規模とを大きくしないための装置構成として、個々の再拡散信号について乗算処理とフィルタ処理を行うのではなく、再拡散信号の合成処理が行われた後の信号について乗算処理とフィルタ処理とを行うようにされている。このような構成にすることにより個々の再拡散信号に対して係数の乗算とナイキストフィルタ処理部とを設ける必要がなくなり装置規模・信号処理規模を軽減することがを可能となる。
【００２１】
本発明の無線基地局装置受信部の干渉キャンセラ部は、受信信号の受信同期処理と、パス検出を行う同期処理部と、パス検出結果を収集しパスの管理と信号処理部への通知を行う制御部と、各干渉キャンセル処理部に設けたセレクタＳＷにより信号処理を行う信号の選択を可能とした構成を備えている。干渉キャンセラ部の同期処理部は、受信信号の同期処理とパス検出処理とを行う。同期処理は、受信信号のタイミング検出を行い、パス検出処理は、受信信号の畳み込み処理による遅延プロファイルの測定を行い、マルチパスによるフェージングにより時間差を持って受信される複数の遅延信号をＲＡＫＥ合成部により受信する複数のパスとして検出を行う。
【００２２】
パス検出処理部で検出されたパス検出結果は、パス検出結果の収集・管理を行う制御部に送られパスの条件判定と選択処理が行われる。制御部におけるパスの条件判定は、初期時に外部より設定された閾値をもとに判定処理が行われ、判定結果は、各信号処理部に通知される。パスの判定結果が通知される各信号処理部には、再拡散処理や相関器などの信号処理部間に信号の選択を行うセレクタＳＷが設けられており、パスの判定結果通知によりセレクタＳＷの開閉処理が行われる。このセレクタＳＷは、通常ＯＦＦ状態とし、そのままでは信号処理が行われないようになっており、このセレクタＳＷの開閉処理により前述の課題３の増減するユーザー信号の信号処理を可能にしている。
【００２３】
また、信号処理部に設けられているセレクタＳＷは、パス検出処理部で検出された複数のパスの選択処理が可能となっており、パス選択の情報管理は、パス検出結果の収集を行う制御部によって行われ、受信処理を開始した各ユーザー信号のそれぞれのパスに対して選択処理が行われる。そのため、各信号処理部に設けられているセレクタＳＷは、制御部からの制御情報により、マルチパスやフェージングなどにより増減するそれぞれのパスについてセレクタＳＷの開閉制御を行い、前述した課題４の受信パスの選択処理を可能にしている。
【００２４】
本発明の無線基地局受信部の干渉キャンセラ部は、干渉キャンセル処理を行う信号処理部を複数段備え、繰り返し処理を行う構成としており、同様の信号処理を繰り返し行うことにより相互相関干渉成分の抑圧効果を高めている。しかし、受信ユーザー数が少ない場合などでは、復調信号に含まれている干渉成分が少ないため、干渉キャンセル処理を行うステージ数が少なくて良い場合などがある。そのような場合、干渉キャンセルステージ数を減少させ、少ない処理で信号の復調処理を行う方がよい。そのため、干渉キャンセラ部は、前述のセレクタＳＷにより信号の選択処理を行い干渉キャンセルステージ段数を可変させることが可能とする構成となっている。信号の選択を行うセレクタＳＷの開閉処理を行うことにより、各信号処理部に入力される信号を信号処理を行わずに通過させることができ、前述の課題の課題５の通信ユーザー数や干渉雑音成分量に合わせたステージ数の可変を可能にしている。
【００２５】
【発明の実施の形態】
以下、本発明による移動通信システム及び無線基地局装置の実施形態を図面により詳細に説明する。
【００２６】
図１は本発明の一実施形態による符号分割多元接続を用いる通信システムの構成を示すブロック図、図２は干渉キャンセラ装置を有する無線基地局装置の構成を示すブロック図であり、まず、本発明の実施形態による通信システムと無線基地局との構成の概略を説明する。図１、図２において、１１は無線移動局装置（ＭＳ）、１２は無線基地局装置（ＢＴＳ）、１３は無線制御部（ＢＳＣ）、１４は交換制御部（ＭＳＣ）、１５は公衆通信網、２１はアンテナ部、２２は送受信増幅部、２３は無線部、２４はベースバンド処理部、２５は有線伝送路インタフェース部、２６は無線基地局制御部である。
【００２７】
本発明が適用される動通信システムは、図１に示すように、無線移動局装置１１と、複数の無線移動局装置１１と符号分割多元接続方式を用いて通信を行う無線基地局装置１２と、複数の無線基地局装置１２と接続され通信信号と制御信号との選択合成処理や分配処理を行い無線移動局装置１１に対してダイバーシチハンドオーバ処理を行う無線制御部１３と、複数の無線制御部１３や他の通信設備と接続され通信信号の交換処理を行う交換制御部１４とからなり公衆通信網１５に接続されて構成されている。
【００２８】
無線移動局装置１１と無線基地局装置１２とは、その通信方式として符号分割多元接続方式を用い無線基地局装置１２の無線エリア内に存在している複数の移動端末ユーザーと同じ周波数と周波数帯域を用いて通信を行っており、個々の通信はそれぞれ異なった符合を用いることにより通信の分離を行っている。また、無線基地局装置１２に近い移動端末ユーザーの強い通信信号が他の移動端末ユーザーの弱い通信信号を覆う事により生じる遠近問題を解決するため電力制御等の処理が行われている。
【００２９】
無線制御部１３は、複数の無線基地局装置１２と接続されており、それぞれの無線基地局装置１２からの通信信号と制御信号との選択合成処理、及び、それぞれの無線基地局装置１２に対して通信信号と制御信号との分配処理を行っている。また、無線制御部１３は、それらの通信しに対して無線移動局装置１１が１つの無線基地局装置１２がカバーしている無線エリアから移動し、他の無線基地局装置がカバーしている無線エリアへ移っていった場合に、無線基地局装置間の通信信号の切り替えを行うダイバーシチハンドオーバ処理をも行っている。
【００３０】
無線基地局装置１２は、図２に示すように、アンテナ部２１と、送受信増幅部２２と、無線部２３と、ベースバンド信号処理部２４と、有線伝送路インターフェース部２５と、無線基地局制御部２６とにより構成されている。
【００３１】
無線信号の送受信を行うアンテナ部２１は、ダイバーシチ受信を行うため１つの通信エリアに対し２系統の送受信アンテナを持ち、無線基地局装置が複数セクタ処理対応した無線基地局の場合、セクタ数に応じた複数のアンテナを備えている。
【００３２】
送受信増幅部２２は、送信無線信号を増幅する送信アンプと受信無線信号を増幅する低雑音アンプとを装備しており、無線送信信号と無線受信信号との分離多重を行っている。
【００３３】
無線部２３は、ベースバンド信号処理が施された送信信号をＤ／Ａ変換し直交変調後に無線周波数信号に変換し送受信増幅部２１の送信アンプに送る無線送信部と、送受信増幅部２２の受信アンプからの受信信号をベースバンド信号周波数に変換し準同期検波後にＡ／Ｄ変換してベースバンド信号処理部２４に伝送を行う無線受信部とからなっている。
【００３４】
ベースバンド信号処理部２４は、送信データの誤り訂正符号化、フレーム化、データ変調、拡散変調等の信号処理を行うベースバンド送信部と、干渉キャンセラ装置を備え、無線部２３からの受信信号の受信同期、逆拡散、干渉抑圧処理、誤り訂正復号、データの多重分離、セクタ間ダイバーシチハンドオーバ時の最大比合成等の信号処理を行うベースバンド受信部とからなっている。
【００３５】
有線伝送路インターフェース部２５は、無線基地局装置１２と無線制御部１３との間の局間伝送路のインターフェース部であり、無線制御部１３との通信信号の送受信を行っている。
【００３６】
無線基地局制御部２６は、無線制御部１３との制御信号の送受信を行い、無線回線管理、無線回線の設定開放等を行っている。
【００３７】
次に、無線基地局装置１２内の干渉キャンセラの詳細な構成と動作とを図面により説明する。
【００３８】
図３はベースバンド信号処理部内の受信部の一機能である干渉キャンセラ部の構成例を示すブロック図である。図３において、３１−１〜３１−ｋは受信同期・パス検出回路、３２−１〜３２−ｋは相関器、３３−１〜３３−ｎは干渉キャンセルステージ、３４−１〜３４−ｋは再拡散器／相関器、３５は合成処理部、３６は減算処理部、３７−１〜３７−３は遅延回路、３８−１〜３８−ｋは復調処理部である。
【００３９】
無線基地局装置１２のベースバンド信号処理部２４内に設けられる干渉キャンセラ部は、図３に示すように、受信同期・パス検出回路３１−１、３１−２、……、３１−ｋ、相関器３２−１、３２−２、……、３２−ｋ、干渉キャンセルステージ３３−１、３３−２、３３−３、……、３３−ｎ、遅延回路３７−１、３７−２、３７−３、……、復調処理部３８−１、３８−２、……、３８−ｋを備えて構成されている。また、各干渉キャンセルステージは、主に再拡散器／相関器３４−１、３４−２、……、３４−ｋ、合成処理部３５、減算処理部３６から構成されている。
【００４０】
受信同期・パス検出回路３１−１、３１−２、……、３１−ｋは、受信入力信号の入力段にのみ配置されており、後段の各干渉キャンセルステージ段には受信同期処理部が設けられていない。このため、受信同期・パス検出回路３１−１、３１−２、……、３１−ｋのそれぞれは、受信した複数のスペクトラム拡散信号が合成されている受信信号３９について、個々のスペクトラム拡散信号毎に受信同期処理を行い得られた受信同期結果と、パス検出処理部で遅延プロファイルの測定により得られた複数パスの検出結果とを多段の干渉キャンセルステージにより構成される干渉キャンセル処理部が使用可能に出力するように構成されている。また、受信同期処理を行った受信同期結果は、その後の信号処理部により使用され、パス検出結果は、信号処理を行うパスの選択に使用される。
【００４１】
相関器３２−１、３２−２、……、３２−ｋのそれぞれは、受信同期処理により得られた受信同期結果をもとに、受信信号の逆拡散処理を行う。得られた逆拡散信号は、干渉キャンセルステージ３３−１、３３−２、３３−３、……、３３−ｎへ入力される。各干渉キャンセルステージは、入力された逆拡散信号を各ユーザー信号ＣＨ毎に再拡散器／相関器３４−１、３４−２、……、３４−ｋにより再拡散処理を行う。再拡散処理後の信号は、合成処理部３５により合成され、レプリカ信号を生成した後に減算処理部３６により受信した多重波信号３９との減算処理が行われる。減算処理後の信号は、再拡散器／相関器３４−１、３４−２、……、３４−ｋにより相関検出処理が行われた後、次の干渉キャンセルステージへ送られる。各干渉キャンセルステージ間には、信号処理遅延を考慮した多重波信号３９に対する遅延回路３７−１、３７−２、３７−３、……が設けられており、干渉キャンセルステージの最終段に復調処理部３８−１、３８−２、……、３８−ｋが接続されている。そして、これらの復調処理部は、同期検波、ＲＡＫＥ合成、ダイバーシチ合成などの処理を行う。
【００４２】
図４はベースバンド信号処理部内の受信部の一機能である干渉キャンセラ部の他の構成例を示すブロック図である。図４において、４１−ｉは干渉キャンセルステージ、４２−１、４２−２、……、４２−ｋは受信同期・パス検出部、４３−１、４３−２、……、４３−ｋは復調処理部、４４−１、４４−２、……、４４−ｋはセレクタＳＷであり、他の符号は図３の場合と同一である。
【００４３】
図４に示す干渉キャンセラ部は、受信同期・パス検出部３１−１、３１−２、……、３１−ｋ、相関器３２−１、３２−２、……、３２−ｋ、干渉キャンセルステージ３３−１、……、４１−ｉ、……、３３−ｎ、遅延回路３７−１、復調処理部３８−１、３８−２、……、３８−ｋ、セレクタＳＷ４４−１、４４−２、……、４４−ｋを備えて構成されている。また、干渉キャンセルステージ４１−ｉ以外の干渉キャンセルステージ、図示例における干渉キャンセルステージ３３−１、３３−ｎは、図３の場合と同様に、再拡散器／相関器３４−１、３４−２、……、３４−ｋ、合成処理部３５、減算処理部３６を備えて構成されている。そして、干渉キャンセルステージ４１−ｉは、再拡散器／相関器３４−１、３４−２、……、３４−ｋ、合成処理部３５、減算処理部３６、受信同期・パス検出部４２−１、４２−２、……、４２−ｋ、復調処理部４３−１、４３−２、……、４３−ｋを備えて構成されている。
【００４４】
受信信号の入力段に配置された受信同期・パス検出回路３１、３１−１、３１−２、３１−ｋのそれぞれは、受信した複数のスペクトラム拡散信号が合成されている受信信号３９について、個々のスペクトラム拡散信号毎に受信同期信号処理を行い得られた受信同期結果と、パス検出処理部で遅延プロファイルの測定により得られた複数パスの検出結果とを多段の干渉キャンセルステージにより構成される干渉キャンセル処理部が使用可能に出力するように構成されている。また、受信同期処理を行った受信同期結果は、その後の信号処理部により使用され、パス検出結果は、信号処理を行うパスの選択に使用される。
【００４５】
相関器３２−１、３２−２、……、３２−ｋのそれぞれは、受信同期処理により得られた受信同期結果をもとに、受信信号の逆拡散処理を行う。得られた逆拡散信号は、干渉キャンセルステージ３３−１へ入力される。干渉キャンセルステージ４１−ｉは、減算処理を行った信号について受信同期・パス検出部４２−１、４２−２、……、４２−ｋにより、個々のスペクトラム拡散信号毎に受信同期処理を行い、得られた受信同期結果とパスの検出結果とを干渉キャンセル処理部により使用するように構成されており、逆拡散処理に必要な同期処理とパス検出処理とを行っている。逆拡散処理後の信号は、復調処理部４３−１、４３−２、……、４３−ｋと次のステージとに伝送される。
【００４６】
復調処理部４３−１、４３−２、……、４３−ｋへ伝送された信号は、復調処理部４３−１、４３−２、４３−ｋに同期検波、ＲＡＫＥ合成、ダイバーシーチ合成などの処理が行われる。復調処理後の信号は、セレクタＳＷ４４−１、４４−２、……、４４−ｋへ伝送される。セレクタＳＷ４４−１、４４−２、……、４４−ｋは、ｉ段の干渉キャンセルステージ４４−ｉ内の復調処理部からの信号と、最終段の干渉キャンセルステージ３３−ｎに接続されている復調処理部からの信号とのいずれかを選択して出力する。この選択は、制御部２６により行われ、例えば、接続されているユーザ数が多いとき干渉量が多いので最終段の干渉キャンセルステージ３３−ｎに接続されている復調処理部からの信号を選択して、通信品質の低下を抑えるようにし、また、接続されているユーザ数が少ないとき干渉量が少ないので中間段であるｉ段のキャンセルステージ４１−１内の復調処理部からの信号を選択するように行われる。
【００４７】
前述した例では、干渉キャンセラ部の複数段の干渉キャンセルステージの中間段１つに受信同期・パス検出部を備えるとして説明したが、干渉キャンセルステージ４１−ｉのような干渉キャンセルステージを全ての段に配置すると装置規模が大きくなってしまうので、ところどころに配置するとよく、これにより装置規模の削減を行うことができる。
【００４８】
図５は干渉キャンセラ部の合成処理部の構成を示すブロック図である。図５において、５１は合成器、５２は乗算器、５３は乗算係数テーブル、５４はナイキストフィルタである。
【００４９】
干渉キャンセラ部で使用される合成処理部３５は、合成器５１、乗算器５２、乗算係数テーブル５３、ナイキストフィルタ５４を備えて構成されている。乗算器５２、乗算係数テーブル５３、ナイキストフィルタ５４は、合成器４１の前段の各再拡散信号に対して配置されるのではなく、合成器４１の後段の合成後の信号に対して配置されており、これにより、各干渉キャンセルステージは、乗算器５２、乗算係数テーブル５３、ナイキストフィルタ５４をそれぞれ１つだけ備えるだけで構成することができ、装置規模、信号処理規模の削減を行うことができる。
【００５０】
合成処理部３５は、再拡散器／相関器３４−１、３４−２、……、３４−ｋにより相関検出処理が行われた再拡散信号５５を合成器５１により合成処理し、その合成信号と、乗算係数テーブル４３に設定されている“１”以下の固定または動的に変化する係数とを乗算器４２により乗算する処理を行い、さらに、ナイキストフィルタ４４によりフルナイキスト特性のフィルタ処理を行って波形整形を施してレプリカ信号５６の生成を行う。レプリカ信号５６は、減算処理部３６により、受信信号３９との減算処理が行われて減算信号５７に生成される。
【００５１】
なお、前述において、乗算係数テーブル４３に設定されている“１”以下の係数は、通信を行っている移動局の数の変動に対して選択可能に設定されており、制御部２６からの指示により、その１つの係数が乗算器５２に与えられる。また、乗算係数テーブル４３に設定されている“１”以下の係数を乗算器４２により乗算する処理と、ナイキストフィルタ４４により行われるフルナイキスト特性のフィルタ処理とは、どちらの処理が先であってもよい。
【００５２】
図６はキャンセルステージ内の再拡散器／相関器により構成される干渉キャンセラ部の構成と拡散符号の伝達方法とについて説明する図である。図６において、６１は再拡散器、６２は相関器であり、３１、３２、３４は前述までに説明したそれぞれ複数の受信同期・パス検出回路、相関器、再拡散器／相関器を代表して示す符号である。
【００５３】
図６に示す再拡散器／相関器３４により構成される干渉キャンセラ部は、受信同期・パス検出回路３１により受信信号３９について個々のスペクトラム拡散信号毎に受信同期処理が行われ、受信同期処理部から得られた拡散符号６３を、後段の相関器３２や干渉キャンセル処理部で使用するように構成されている。受信同期・パス検出回路３１で得られた拡散符号６３を、後段の干渉キャンセル処理部内の再拡散器６１や相関器６２で使用させるようにすることにより、各干渉キャンセル処理部は、符号生成部を必要とせずに構成することが可能となり、これにより、システム全体の装置規模と信号処理量との削減を行うことができる。
【００５４】
受信信号３９は、受信同期・パス検出回路３１により得られた拡散符号６３と共に相関器３２へ入力されて逆拡散処理が行われる。この結果得られた逆拡散信号６４は、相関器３２により使用された拡散符号６３と共に再拡散器／相関器３４の再拡散器６１へ入力される。再拡散器６１は、逆拡散信号６４に対して再拡散処理を行って再拡散信号５５を生成する。再拡散信号５５は、他の再拡散信号と共に合成処理と減算処理が施され減算信号５７に生成される。減算信号５７は、再拡散器６１で使用された拡散符号６３と共に相関器６２に入力され、逆拡散処理が行われて逆拡散信号６５に生成される。相関器５２により使用された拡散符号６３は、逆拡散信号６５と共に次の干渉キャンセルステージへ入力されて信号処理が続けられる。
【００５５】
図７は本発明の干渉キャンセラ部における信号処理を行うパスの選択制御方法について説明する図、図８はパス選択のためのパスを検出する遅延プロファイル測定波形例を説明する図、図９は干渉キャンセルステージ内の再拡散器／相関器のパス選択制御方法について説明する図である。図７、図９において、９１、９２、９５はセレクタＳＷ、９３は加算器、９４は遅延回路であり、他の符号は図３、図６の場合と同一である。
【００５６】
干渉キャンセラ部で行われるパスの選択制御は、図６に示すように、受信信号３９について個々のスペクトラム拡散信号毎に受信同期・パス検出回路３１−１、３１−２、……、３１−ｋにおいてパス検出処理を行い、検出された各パス情報７２を制御部２６により収集し、制御部２６が閾値判定などによるパスの選択処理を行った後に各干渉キャンセルステージ３３−１、３３−２、３３−３、……にセレクタＳＷ制御情報７３による通知を行うように構成されている。
【００５７】
受信同期・パス検出回路３１−１、３１−２、……、３１−ｋは、受信信号３９について受信同期処理を行った後に遅延プロファイル測定を行い、得られた遅延プロファイル測定結果から有効パスの選択処理を行う。有効パスの選択は、初期時に外部より設定された閾値により判定が行われる。図８の遅延プロファイル測定波形例の中に示すように、初期時に設定される閾値には、第１閾値と第２閾値とが設定されている。そして、受信同期・パス検出回路は、第１閾値以上の振幅強度を持ったパスを有効パス８１とみなし、また、第２閾値により第１閾値以上の振幅強度を持ったパスを有効パス８１を干渉キャンセルパス８２とＲＡＫＥ合成パス８３とに振り分ける処理を行う。第２閾値以上の振幅強度を持ったパスを干渉キャンセルパス８２とし、第１閾値以上、第２閾値未満の振幅強度を持ったパスをＲＡＫＥ合成パス８３とする。
【００５８】
前述において、干渉キャンセルパス８２は、干渉キャンセル処理を行うため再拡散処理によるレプリカ信号の生成を行うパスであり、ＲＡＫＥ合成パス８３は、再拡散処理を行わずレプリカ信号の生成を行わないが、復調処理部３８において行われるＲＡＫＥ合成処理を行うパスである。干渉キャンセルパスとＲＡＫＥ合成パスとに振り分けられた有効パス８１の情報は、周期的に制御部２６に通知され、制御部２６により各干渉キャンセルステージ３３−１、３３−２、３３−３にセレクタＳＷ制御情報６３として通知され、各信号処理部において信号処理が行われる。
【００５９】
次に、図９を参照して、干渉キャンセラにおけるパス選択制御の動作を説明する。
【００６０】
このパス選択制御は、干渉キャンセルステージ内の再拡散器／相関器３４内に設けられるセレクタＳＷを制御することにより行われるものである。このため、干渉キャンセルステージ内の再拡散器／相関器３４は、図９に示すように、複数のセレクタＳＷが備えられ、選択されたパスの信号をスルーとすることができるように構成されている。すなわち、再拡散器／相関器３４は、制御部２６からのセレクタＳＷ制御情報７３により再拡散器／相関器３４内に配置したセレクタＳＷ＿Ａ９１、セレクタＳＷ＿Ｂ９２、セレクタＳＷ＿Ｃ９５の制御を行うことによりパスの選択制御を行うように構成されている。
【００６１】
再拡散器／相関器３４内で行われる信号選択と信号処理手順とは、以下のように行われる。前段から入力された逆拡散信号９６は、セレクタＳＷ＿Ａ９１の開閉により再拡散器６１に入力されるパスの選択が行われることにより、セレクタＳＷ＿Ａ選択信号９７とされて再拡散器６１に入力されて再拡散処理が行われる。再拡散処理後の信号は合成処理回路へと送られ、減算処理後の信号は、相関器６２により逆拡散処理が行われる。再拡散処理後の信号は、セレクタＳＷ＿Ｂ９２の開閉により加算器９７に入力されるパスの選択が行われ、選択されたパスのセレクタＳＷ＿Ｂ選択信号９８は加算器９３に入力される。
【００６２】
また、逆拡散信号９６は、遅延回路９４によりタイミング調整の遅延を行った後にセレクタＳＷ＿Ｃ９５の開閉により加算器９３に入力されるパスの選択が行われることにより加算器９３に入力される。セレクタＳＷ＿Ｂ９２を通って送られてきたセレクタＳＷ＿Ｂ選択信号９８とセレクタＳＷ＿Ｃ９５を通って送られてきたセレクタＳＷ＿Ｃ選択信号９９とは、加算器９３により加算処理が行われた後に次のステージ処理部に送られる。
【００６３】
このとき、セレクタＳＷ制御情報７３により選択されるパスは、干渉キャンセルパスとＲＡＫＥ合成パスとに振り分けられており、各セレクタＳＷにおけるパスの選択方法として、以下に説明するような選択方法をとることができる。
【００６４】
第１のパス選択方法は、セレクタＳＷ＿Ａ９１により選択されるセレクタＳＷ＿Ａ選択信号９７として干渉キャンセルパスを選択し、セレクタＳＷ＿Ｂ９２により選択されるセレクタＳＷ＿Ｂ選択信号９８として干渉キャンセルパスを選択し、セレクタＳＷ＿Ｃ８５により選択されるセレクタＳＷ＿Ｃ選択信号９９としてＲＡＫＥ合成パスを選択するという方法である。
【００６５】
第２のパス選択方法は、セレクタＳＷ＿Ａ９１により選択されるセレクタＳＷ＿Ａ選択信号９７として干渉キャンセルパスを選択し、セレクタＳＷ＿Ｂ９２により選択されるセレクタＳＷ＿Ｂ選択信号９８としてＲＡＫＥ合成パスを選択し、セレクタＳＷ＿Ｃ８５により選択されるセレクタＳＷ＿Ｃ選択信号９９として干渉キャンセルパスを選択するという方法である。
【００６６】
第３のパス選択方法は、セレクタＳＷ＿Ａ９１により選択されるセレクタＳＷ＿Ａ選択信号９７として干渉キャンセルパスを選択し、セレクタＳＷ＿Ｂ９２により選択されるセレクタＳＷ＿Ｂ選択信号９８としてＲＡＫＥ合成パスを選択し、セレクタＳＷ＿Ｃ９５により選択されるセレクタＳＷ＿Ｃ選択信号９９としてもＲＡＫＥ合成パスを選択するという方法である。
【００６７】
また、別のパス選択方法として、パス１つ１つの制御ではなく干渉キャンセル処理は行わないがＲＡＫＥ合成だけ行いたいというユーザー信号の信号選択処理を行うことも可能である。このとき、セレクタＳＷ制御情報７３により選択される各セレクタＳＷのパスの選択方法として、以下に説明するような選択方法をとることができる。
【００６８】
この方法は、セレクタＳＷ＿Ａ９１を全て開いた状態にしてセレクタＳＷ＿Ａ選択信号９７を再拡散器６１に入力せずにレプリカ信号の生成には係わらないようにし、入力されてくる逆拡散信号９６の選択を行うセレクタＳＷ＿Ｃ９５も全て開いた状態にしてセレクタＳＷ＿Ｃ選択信号９９が加算器９３に入力されないようにし、さらに、レプリカ信号との減算処理を行った減算処理後の信号の逆拡散処理を行う相関器６２から入力される逆拡散信号をセレクタＳＷ＿Ｂ９２により選択してセレクタＳＷ＿Ｂ選択信号９８として通過させ復調処理部３８によりＲＡＫＥ合成処理を行う方法である。
【００６９】
図１０は干渉キャンセラ部の干渉キャンセルステージの段数を可変に制御する方法について説明する図である。この例は、通信中の移動局の数等に応じて、干渉キャンセラ部の干渉キャンセルステージの段数を動的に変更可能とするものであり、図の符号は図９の場合と同一である。
【００７０】
図１０に示す干渉キャンセラ部で行われる干渉キャンセルステージ段数の可変制御は、干渉キャンセルステージ３３内の再拡散器／相関器３４において制御部２６からのセレクタＳＷ制御情報７３により、セレクタＳＷ＿Ａ９１、セレクタＳＷ＿Ｂ９２、セレクタＳＷ＿Ｃ９５の制御を行うことにより行われる。すなわち、この制御は、再拡散器／相関器３４での信号処理を行わずに信号を後段にパスさせるか否かにより、干渉キャンセルステージ段数を減少させステージ段数を可変に制御するものである。
【００７１】
この場合の１つの再拡散器／相関器３４をパスさせる制御は、図示のセレクタＳＷ＿Ａ９１とセレクタＳＷ＿Ｂ９２とを全て開いた状態にし、セレクタＳＷ＿Ａ選択信号９７を再拡散器６１に入力せずにレプリカ信号の生成には係わらないようにし、減算処理後の信号の逆拡散処理を行う相関器６２から入力される逆拡散信号についても、セレクタＳＷ＿Ｂ９２を全て開いた状態にしてセレクタＳＷ＿Ｂ選択信号９８についても加算器９３に入力されないようにし、さらに、入力されてくる逆拡散信号９６の選択を行うセレクタＳＷ＿Ｃ９５のみにより信号の選択を行い、この信号のみをセレクタＳＷ＿Ｃ選択信号９９として通過させるものである。これにより、入力された信号を干渉キャンセル処理を行うことなく干渉キャンセルステージ処理を通過させることが可能となりステージ段数を動的に変更することができる。
【００７２】
前述した本発明の実施形態によれば、符号分割多元接続方式を用いた移動通信システムの複数の無線移動局装置と通信を行う無線基地局装置において、通信ユーザー数の増加により生じる相互相関干渉によるチャネル効率の低下を防ぐための干渉キャンセル部が、無線基地局装置における収容ユーザーが多くなるほど装置規模、信号処理規模が大きくなるという従来技術の問題点を、以下に説明するようにして解決することができる。
【００７３】
（１）受信信号の同期処理を入力の初段で行い、拡散符号として入力の初段の同期処理結果により得られた拡散符号を各干渉キャンセルステージで用いる構成とすることにより、各干渉キャンセルステージに同期処理部、符号生成器等を設ける必要をなくし装置規模の削減を行うことができた。
【００７４】
（２）通信を行っているユーザー数に応じて動的に可変とされる“１”以下の係数の係数乗算とナイキストフィルタ処理とを再拡散信号の合成処理が行われた後の信号に対して行う構成とすることにより、個々の再拡散信号に対して係数の乗算とナイキストフィルタ処理手段とを設ける必要をなくし装置規模の削減を行うことができた。
【００７５】
（３）干渉キャンセルステージにより行われる信号処理に対して、再拡散処理や相関器等の信号処理部に信号の選択を行うセレクタＳＷを設け、パス検出処理部で検出を行った複数のパスの選択を可能とし、制御部からの制御情報によってセレクタＳＷの開閉制御を行い、受信信号と受信パスとの選択処理を可能とすることにより、信号処理規模の削減を行うことができた。
【００７６】
【発明の効果】
以上説明したように本発明によれば、無線基地局装置の収容ユーザーが増加することに伴う干渉キャンセラ部の装置規模と信号処理規模との増加を軽減し、無線基地局装置の装置規模とコストとの削減を行いながらチャネル効率の低下を防止して高品質の通信を行う移動通信システム及び無線基地局装置を提供することができる。
【図面の簡単な説明】
【図１】本発明の一実施形態による符号分割多元接続を用いる通信システムの構成を示すブロック図である。
【図２】干渉キャンセラ装置を有する無線基地局装置の構成を示すブロック図である。
【図３】ベースバンド信号処理部内の受信部の一機能である干渉キャンセラ部の構成例を示すブロック図である。
【図４】ベースバンド信号処理部内の受信部の一機能である干渉キャンセラ部の他の構成例を示すブロック図である。
【図５】干渉キャンセラ部の合成処理部の構成を示すブロック図である。
【図６】キャンセルステージ内の再拡散器／相関器により構成される干渉キャンセラ部の構成と拡散符号の伝達方法とについて説明する図である。
【図７】本発明の干渉キャンセラ部における信号処理を行うパスの選択制御方法について説明する図である。
【図８】パス選択のためのパスを検出する遅延プロファイル測定波形例を説明する図である。
【図９】干渉キャンセルステージ内の再拡散器／相関器のパス選択制御方法について説明する図である。
【図１０】干渉キャンセラ部の干渉キャンセルステージの段数を可変に制御する方法について説明する図である。
【符号の説明】
１１  無線移動局装置（ＭＳ）
１２  無線基地局装置（ＢＴＳ）
１３  無線制御部（ＢＳＣ）
１４  交換制御部（ＭＳＣ）
１５  公衆通信網
２１  アンテナ部
２２  送受信増幅部
２３  無線部
２４  ベースバンド処理部
２５  有線伝送路インタフェース部
２６  無線基地局制御部
３１、３１−１〜３１−ｋ  受信同期・パス検出回路
３２、３２−１〜３２−ｋ、６２  相関器
３３−１〜３３−ｎ、４１−ｉ  干渉キャンセルステージ
３４、３４−１〜３４−ｋ  再拡散器／相関器
３５  合成処理部
３６  減算処理部
３７−１〜３７−３、９３  遅延回路
３８−１〜３８−ｋ、４３−１〜４３−ｋ  復調処理部
４２−１〜４２−ｋ  受信同期・パス検出部
４４−１〜４４−ｋ、９１、９２、９５  セレクタＳＷ
５１  合成器
５２  乗算器
５３  乗算係数テーブル
５４  ナイキストフィルタ
６１  再拡散器
９３  加算器
【図１】
0003650305.tif 000002
【図２】
0003650305.tif 000003
【図３】
0003650305.tif 000004
【図４】
0003650305.tif 000005
【図５】
0003650305.tif 000006
【図６】
0003650305.tif 000007
【図７】
0003650305.tif 000008
【図８】
0003650305.tif 000009
【図９】
0003650305.tif 000010
【図１０】
0003650305.tif 000011